(57)【要約】【課題】接点部分に対する優れた防塵機能を確保できると共に、粘着シートをスイッチ基板に接着した際に、この粘着シートとスイッチ基板を含む部分の幅寸法を、スイッチ基板の幅寸法と略同等に設定できる。【解決手段】カバーシート３４及びスペーサシート３３を、フレキシブルプリント基板３０の一側端３０ｃを介して、その表面３０ａ側から裏面３０ｂ側にわたって折り返して、表面３０ａ及び裏面３０ｂに貼り付け可能な長さ寸法に設定すると共に、スペーサシート３３に、フレキシブルプリント基板３０の表面３０ａに対向する位置から裏面３０ｂに対向する位置まで延設される非粘着部３３ｂを設け、フレキシブルプリント基板３０の表面３０ａ及び裏面３０ｂと、非粘着部３３ｂとによって、ドーム状可動接点３５に連通する空気逃げ部４０を形成した。【選択図】図１
2006139953.tif 000002
【特許請求の範囲】
【請求項１】
固定接点を有するスイッチ基板に、上記固定接点に接離可能な接点板を設けた粘着シートを貼り付けて成るスイッチ装置であって、
上記粘着シートを、上記スイッチ基板の一側端を介して、上記スイッチ基板の上記固定接点が配置される表面側から裏面側にわたって折り返して、上記スイッチ基板の上記表面及び上記裏面に貼り付け可能な長さ寸法に設定すると共に、
上記粘着シートに、上記接点板に連通し、上記スイッチ基板の上記表面に対向する位置から上記スイッチ基板の上記裏面に対向する位置まで延設され、粘着剤が塗布されない非粘着部を設け、
上記スイッチ基板の上記表面及び上記裏面と、上記粘着シートの上記非粘着部とによって、上記接点板に連通する空気逃げ部を形成したことを特徴とするスイッチ装置。
【請求項２】
上記請求項１記載のスイッチ装置において、
上記粘着シートの非粘着部を、上記スイッチ基板の上記一側端に対向する部分が、他の非粘着部の部分よりも形状が小さくなるように形成したことを特徴とするスイッチ装置。
【請求項３】
上記請求項１記載のスイッチ装置において、
上記スイッチ基板がフレキシブルプリント基板から成ると共に、
このフレキシブルプリント基板を、上記一側端とは異なる方向から外部への端子接続部が引き出されるように設けたことを特徴とするスイッチ装置。
【請求項４】
固定接点を有するスイッチ基板に、上記固定接点に接離可能な接点板を設けた粘着シートを貼り付けて成るスイッチ装置であって、
上記粘着シートを、上記スイッチ基板の一側端を介して、上記スイッチ基板の上記固定接点が配置される表面側から裏面側にわたって折り返して、上記スイッチ基板の上記表面及び上記裏面に貼り付け可能な長さ寸法に設定すると共に、
上記粘着シートの上記スイッチ基板の上記裏面に対向する位置に、上記接点板から隔絶して形成され、粘着剤が塗布されない非粘着部を設け、
上記スイッチ基板に、上記非粘着部を上記接点板に連通させる空気孔を設け、
上記スイッチ基板の上記裏面と、上記粘着シートの上記非粘着部とによって、上記空気孔を介して上記接点板に連通する空気逃げ部を形成したことを特徴とするスイッチ装置。
【請求項５】
上記請求項１〜４のいずれか１項記載のスイッチ装置において、
上記粘着シートが、接点部分を覆うカバーシートと、このカバーシートに接着されるスペーサシートとから成り、
上記スペーサシートが、上記接点板が収容される収容部と、この収容部に連通して形成される上記非粘着部とを備えたことを特徴とするスイッチ装置。
【請求項６】
上記請求項１〜４のいずれか１項記載のスイッチ装置において、
上記粘着シートが、接点部分を覆うカバーシートから成り、
このカバーシートに上記非粘着部を設けたことを特徴とするスイッチ装置。
【請求項７】
固定接点を有するスイッチ装置のスイッチ基板に接触可能な接点板を有し、上記スイッチ基板に貼り付けられる粘着シートを備え、
この粘着シートを、上記スイッチ基板の一側端を介して、上記スイッチ基板の上記固定接点が配置される表面側から裏面側にわたって折り返して、上記スイッチ基板の上記表面及び上記裏面に貼り付け可能な長さ寸法に設定すると共に、
上記粘着シートに、上記接点板に連通し、上記スイッチ基板の上記表面に対向する位置から上記スイッチ基板の上記裏面に対向する位置まで延設され、粘着剤が塗布されない非粘着部を設けたことを特徴とするスイッチ装置用部品。
【請求項８】
上記請求項７記載のスイッチ装置用部品において、
上記粘着シートに接着され、この粘着シートとの間で上記接点板を封止するハクリシートを備えたことを特徴とするスイッチ装置用部品。
【請求項９】
上記請求項７記載のスイッチ装置用部品において、
上記粘着シートの上記非粘着部を、上記スイッチ基板の上記一側端に対向する部分が、他の非粘着部の部分よりも形状が小さくなるように形成したことを特徴とするスイッチ装置用部品。
【請求項１０】
固定接点を有するスイッチ装置のスイッチ基板に接触可能な接点板を有し、上記スイッチ基板に貼り付けられる粘着シートを備え、
この粘着シートを、上記スイッチ基板の一側端を介して、上記スイッチ基板の上記固定接点が配置される表面側から裏面側にわたって折り返して、上記スイッチ基板の上記表面及び上記裏面に貼り付け可能な長さ寸法に設定すると共に、
この粘着シートの上記スイッチ基板の上記裏面に対向する位置に、上記接点板から隔絶して形成され、粘着剤が塗布されない非粘着部を設けたことを特徴とするスイッチ装置用部品。
【請求項１１】
上記請求項１０記載のスイッチ装置用部品において、
上記粘着シートに接着され、この粘着シートとの間で上記接点板を封止するハクリシートを備えたことを特徴とするスイッチ装置用部品。
【請求項１２】
上記請求項７〜１１のいずれか１項記載のスイッチ装置用部品において、
上記粘着シートが、上記スイッチ装置に備えられる固定接点を含む接点部分を覆うカバーシートと、このカバーシートに接着されるスペーサシートとから成り、
上記スペーサシートが、上記接点板が収容される収容部と、この収容部に連通して形成される上記非粘着部とを備えたことを特徴とするスイッチ装置用部品。
【請求項１３】
上記請求項７〜１１のいずれか１項記載のスイッチ装置用部品において、
上記粘着シートが、上記スイッチ装置が備えられる固定接点を含む接点部分を覆うカバーシートから成り、
このカバーシートに上記非粘着部を設けたことを特徴とするスイッチ装置用部品。
【発明の詳細な説明】
【技術分野】
【０００１】
本発明は、各種電子機器に備えられ、粘着シートに、押圧操作されるドーム状可動接点等の接点板を貼り付けて成るスイッチ装置、及びこのスイッチ装置の製作に際して用いられるスイッチ装置用部品に関する。
【背景技術】
【０００２】
この種の従来技術として特許文献１に示されるものがある。図９は、この特許文献１に示される従来のドーム接点スイッチ、すなわちスイッチ装置を示す分解斜視図である。
【０００３】
この図９に示す従来技術は、スイッチ基板すなわち基板１１上に、外側リング状固定接点１２と、内側リング状固定接点１３とが備えられている。これらの外側リング状固定接点１２には突出部２１を設けてあり、この突出部２１には溝２３が形成されている。固定接点１２，１３の上方には、接点板すなわちドーム接点１４が配置され、このドーム接点１４の周縁部は常時、外側リング状固定接点１２に接触している。内側リング状固定接点１３には、このドーム接点１４の押圧操作によってドーム接点１４が接触可能になっている。また、このドーム接点１４は、基板１１に接着される粘着シート、すなわち接着剤層１５を有するシート１６に接着されるようになっている。このシート１６には、上述した溝２３に対向する位置に空気抜け用穴１７が形成されている。
【０００４】
この従来技術は、ドーム接点１４が接着されているシート１６部分を押圧すると、ドーム接点１４が内側リング状固定接点１３に接触する。これにより、内側リング状固定接点１３と外側リング状固定接点１２とが、ドーム接点１４を介して導通しスイッチオンとなる。ドーム接点１４に加えられていた押圧力が除去されると、ドーム接点１４が内側リング状固定接点１３から離れ、内側リング状固定接点１３と外側リング状固定接点１２間は遮断されスイッチオフとなる。
【０００５】
上述の動作の間、ドーム接点１４の押圧に伴うドーム接点１４の下方部分の空気は、ドーム接点１４と外側リング状固定接点１２との間に形成される隙間から、溝２３へと流れ、さらにシート１６の空気抜け用穴１７から外部へと逃がされる。逆に、ドーム接点１４の押圧解除操作に伴って、外部の空気が、シート１６の空気抜け用穴１７から流入し、溝２３、及びドーム接点１４と外側リング状固定接点１２との間に形成される隙間から、ドーム接点１４の下方部分へと導かれる。このような空気の流出入によって、ドーム接点１４の円滑な操作を実現できる。
【特許文献１】特開２０００−１４９７０７公報
【発明の開示】
【発明が解決しようとする課題】
【０００６】
ところで、上述した従来技術では、シート１６に外部と内部を連通させる空気抜け用穴１７を形成してあることから、ドーム接点１４の押圧解除操作等に伴って、外部のゴミやガス等の塵埃が接点部分に侵入し、これらの接点部分に腐蝕を生じる懸念があり、耐久性の点で問題がある。
【０００７】
このような問題を解決するために、例えば図１０に示すように、上述したドーム接点１４等の接点板が貼り付けられる粘着シート２５の裏面２８において、接点板が接着される接着部２６の周囲に、粘着剤が塗布されない環状の非粘着部２７を形成することが考えられる。
【０００８】
このように構成したものでは、接点板の押圧操作、及び押圧解除操作に伴う接点板の下方部分の空気の流出入は、粘着シート２５の非粘着部２７とスイッチ基板の固定接点が配置される面部との間に形成される空気逃げ部を介して行なわれるので、接点板の円滑な操作を実現できる。また、粘着シート２５と、この粘着シート２５が貼り付けられるスイッチ基板とによって密閉構造が形成されるので、外部から塵埃が侵入する虞のない優れた防塵機能を確保できる。
【０００９】
しかしながら、図１０に示すように粘着シート２５を構成したものでは、接点板の押圧操作、及び押圧解除操作に伴う空気の流出入を許容させるために、環状の非粘着部２７の径方向の幅寸法を比較的大きく設定しなければならない。したがって、非粘着部２７の外径が大きくなり、スイッチ基板に接着させるための十分な接着代、すなわち粘着剤の塗布領域を確保するように粘着シート２５を形成すると、この粘着シート２５の形状寸法が大きくなり、結局、装置の大型化を招いてしまう。
【００１０】
本発明は、上述した従来技術における実状からなされたもので、その目的は、接点部分に対する優れた防塵機能を確保できると共に、粘着シートをスイッチ基板に接着した際に、この粘着シートとスイッチ基板を含む部分の幅寸法を、スイッチ基板の幅寸法と略同等に設定できるスイッチ装置及びスイッチ装置用部品を提供することにある。
【課題を解決するための手段】
【００１１】
上記目的を達成するために、本発明のスイッチ装置は、固定接点を有するスイッチ基板に、上記固定接点に接離可能な接点板を設けた粘着シートを貼り付けて成るスイッチ装置であって、上記粘着シートを、上記スイッチ基板の一側端を介して、上記スイッチ基板の上記固定接点が配置される表面側から裏面側にわたって折り返して、上記スイッチ基板の上記表面及び上記裏面に貼り付け可能な長さ寸法に設定すると共に、上記粘着シートに、上記接点板に連通し、上記スイッチ基板の上記表面に対向する位置から上記スイッチ基板の上記裏面に対向する位置まで延設され、粘着剤が塗布されない非粘着部を設け、上記スイッチ基板の上記表面及び上記裏面と、上記粘着シートの上記非粘着部とによって、上記接点板に連通する空気逃げ部を形成したことを特徴としている。
【００１２】
このように構成した本発明は、接点板が貼り付けられている粘着シートの部分を押圧すると、接点板がスイッチ基板の固定接点に接触してスイッチオンとなる。また、接点板に加えられていた押圧力を解除すると、接点板が固定接点から離れてスイッチオフとなる。
【００１３】
このような接点板の押圧操作、及び押圧解除操作の間、接点板の下方部分の空気は、スイッチ基板の表面及び裏面と、非粘着部とによって形成される空気逃げ部に流出入する。これにより、接点板の円滑な操作を実現できる。また、スイッチ基板の固定接点を含む接点部分は密閉構造となるので、この接点部分に対する優れた防塵機能を確保できる。
【００１４】
そして特に、粘着シートに、スイッチ基板の一側端で折り返して、このスイッチ基板の表面から裏面にわたって延設される非粘着部を設けたことから、スイッチ基板の裏面を空気逃げ部を形成する領域として活用できる。これにより、粘着シートをスイッチ基板に接着した際に、この粘着シートとスイッチ基板を含む部分の幅寸法を、スイッチ基板の幅寸法と略同等に設定できる。
【００１５】
また、本発明のスイッチ装置は、上記スイッチ装置において、上記粘着シートの非粘着部を、上記スイッチ基板の上記一側端に対向する部分が、他の非粘着部の部分よりも形状が小さくなるように形成したことを特徴としている。
【００１６】
このように構成した本発明は、スイッチ基板の一側端における粘着シートの粘着剤塗布領域を大きく設定でき、これにより粘着シートをスイッチ基板の表面側から裏面側に折り返した状態でスイッチ基板の一側端部分に強固に接着できる。
【００１７】
また、本発明のスイッチ装置は、上記スイッチ装置において、上記スイッチ基板がフレキシブルプリント基板から成ると共に、このフレキシブルプリント基板を、上記一側端とは異なる方向から外部への端子接続部が引き出されるように設けたことを特徴としている。
【００１８】
このように構成した本発明は、粘着シートをスイッチ基板の表面側から裏面側に折り返す際に端子接続部が邪魔にならず、組み込み作業性を向上させることができる。
【００１９】
また、本発明のスイッチ装置は、固定接点を有するスイッチ基板に、上記固定接点に接離可能な接点板を設けた粘着シートを貼り付けて成るスイッチ装置であって、上記粘着シートを、上記スイッチ基板の一側端を介して、上記スイッチ基板の上記固定接点が配置される表面側から裏面側にわたって折り返して、上記スイッチ基板の上記表面及び上記裏面に貼り付け可能な長さ寸法に設定すると共に、上記粘着シートの上記スイッチ基板の上記裏面に対向する位置に、上記接点板から隔絶して形成され、粘着剤が塗布されない非粘着部を設け、上記スイッチ基板に、上記非粘着部を上記接点板に連通させる空気孔を設け、上記スイッチ基板の上記裏面と、上記粘着シートの上記非粘着部とによって、上記空気孔を介して上記接点板に連通する空気逃げ部を形成したことを特徴としている。
【００２０】
このように構成した本発明は、接点板が貼り付けられている粘着シートの部分を押圧すると、接点板がスイッチ基板の固定接点に接触してスイッチオンとなる。また、接点板に加えられていた押圧力を除去すると、接点板が固定接点から離れてスイッチオフとなる。
【００２１】
このような接点板の押圧操作、及び押圧解除操作の間、接点板の下方部分の空気は、スイッチ基板に形成した空気孔を介して、スイッチ基板の裏面と非粘着部とによって形成される空気逃げ部に流出入する。これにより、接点板の円滑な操作を実現できる。また、スイッチ基板の固定接点を含む接点部分は密閉構造となるので、この接点部分に対する優れた防塵機能を確保できる。
【００２２】
そして特に、スイッチ基板の一側端で折り返される粘着シートの、スイッチ基板の裏面に対向する部分に非粘着部を設け、スイッチ基板に非粘着部を接点板に連通させる空気孔を設けたことから、スイッチ基板の裏面を、空気逃げ部を形成する領域として活用できる。これにより、粘着シートをスイッチ基板に接着した際に、この粘着シートとスイッチ基板を含む部分の幅寸法を、スイッチ基板の幅寸法と略同等に設定できる。
【００２３】
また、本発明のスイッチ装置は、上記スイッチ装置において、上記粘着シートが、接点部分を覆うカバーシートと、このカバーシートに接着されるスペーサシートとから成り、上記スペーサシートが、上記接点板が収容される収容部と、この収容部に連通して形成される上記非粘着部とを備えたことを特徴としている。
【００２４】
このように構成した本発明は、接点板がスペーサシートの収容部に収容されるので、接点板の押圧操作、及び押圧解除操作に際してカバーシートによって接点板の周縁が拘束されることがなく、良好な操作フィーリングが得られる。
【００２５】
また、本発明のスイッチ装置は、上記スイッチ装置において、上記粘着シートが、接点部分を覆うカバーシートから成り、このカバーシートに上記非粘着部を設けたことを特徴としている。
【００２６】
このように構成した本発明は、カバーシートと、スイッチ基板とによって、接点板の円滑な操作を実現させる密閉構造を形成できるので、装置の薄型化を実現できる。
【００２７】
また、上記目的を達成するために、本発明のスイッチ装置用部品は、固定接点を有するスイッチ装置のスイッチ基板に接触可能な接点板を有し、上記スイッチ基板に貼り付けられる粘着シートを備え、この粘着シートを、上記スイッチ基板の一側端を介して、上記スイッチ基板の上記固定接点が配置される表面側から裏面側にわたって折り返して、上記スイッチ基板の上記表面及び上記裏面に貼り付け可能な長さ寸法に設定すると共に、上記粘着シートに、上記接点板に連通し、上記スイッチ基板の上記表面に対向する位置から上記スイッチ基板の上記裏面に対向する位置まで延設され、粘着剤が塗布されない非粘着部を設けたことを特徴としている。
【００２８】
このように構成した本発明は、粘着シートを、固定接点を有するスイッチ基板に貼り付けることにより、スイッチ基板の表面及び裏面と、粘着シートの非粘着部とによって、接点板に連通する空気逃げ部を形成することができる。このように、本発明をスイッチ基板に貼り付けた際には、接点板の押圧操作及び押圧解除操作に伴って、接点板の下方の空気を上述の空気逃げ部に流出入させることができる。すなわち、スイッチ基板に備えられる固定接点を含む接点部分は密閉状態となるので、この接点部分に対する優れた防塵機能の確保に貢献する。
【００２９】
また特に、スイッチ基板の一側端で折り返される粘着シートの、スイッチ基板の裏面に対向する部分を空気逃げ部を作るための非粘着部の形成領域として活用できることから、粘着シートをスイッチ基板に接着した際に、この粘着シートとスイッチ基板を含む部分の幅寸法を、スイッチ基板の幅寸法と略同等に設定できる。
【００３０】
また、本発明のスイッチ装置用部品は、上記スイッチ装置用部品において、上記粘着シートに接着され、この粘着シートとの間で上記接点板を封止するハクリシートを備えたことを特徴としている。
【００３１】
このように構成した本発明は、粘着シートをスイッチ基板に貼り付ける際にハクリシートが剥がされる。したがって、粘着シートをスイッチ基板に貼り付けるまでの間は、ハクリシートが接点板を含む粘着シートに対する保護部材として機能する。また、このハクリシートによって取扱いの利便性を確保できる。
【００３２】
また、本発明のスイッチ装置用部品は、上記スイッチ装置用部品において、上記粘着シートの上記非粘着部を、上記スイッチ基板の上記一側端に対向する部分が、他の非粘着部の部分よりも形状が小さくなるように形成したことを特徴としている。
【００３３】
このように構成した本発明は、スイッチ基板の一側端に対向する粘着シートの部分の粘着剤塗布領域を大きく設定でき、これにより粘着シートをスイッチ基板の一側端部分に強固に接着させることができ、安定した構造の確保に貢献する。
【００３４】
また、本発明のスイッチ装置用部品は、固定接点を有するスイッチ装置のスイッチ基板に接触可能な接点板を有し、上記スイッチ基板に貼り付けられる粘着シートを備え、この粘着シートを、上記スイッチ基板の一側端を介して、上記スイッチ基板の上記固定接点が配置される表面側から裏面側にわたって折り返して、上記スイッチ基板の上記表面及び上記裏面に貼り付け可能な長さ寸法に設定すると共に、この粘着シートの上記スイッチ基板の上記裏面に対向する位置に、上記接点板から隔絶して形成され、粘着剤が塗布されない非粘着部を設けたことを特徴としている。
【００３５】
このように構成した本発明は、表面と裏面を連通させるように形成された空気孔を有するスイッチ基板に貼り付けられることにより、スイッチ基板の裏面と、粘着シートの非粘着部との間に、上述の空気孔を介して接点板に連通する空気逃げ部を形成することができる。このように、本発明を、上述の空気孔を有するスイッチ基板に貼り付けた際には、接点板の押圧操作及び押圧解除操作に伴って、接点板の下方の空気をスイッチ基板の空気孔を介して上述の空気逃げ部に流出入させることができる。すなわち、スイッチ基板に備えられる固定接点を含む接点部分は密閉状態となるので、この接点部分に対する防塵機能の確保に貢献する。
【００３６】
また特に、粘着シートが貼り付けられるスイッチ基板の裏面を空気逃げ部を作るための非粘着部の形成領域として活用できることから、粘着シートをスイッチ基板に接着した際に、この粘着シートとスイッチ基板を含む部分の幅寸法を、スイッチ基板の幅寸法と略同等に設定できる。
【００３７】
また、本発明のスイッチ装置用部品は、上記スイッチ装置用部品において、上記粘着シートに接着され、この粘着シートとの間で上記接点板を封止するハクリシートを備えたことを特徴としている。
【００３８】
このように構成した本発明は、粘着シートをスイッチ基板に貼り付ける際にハクリシートが剥がされる。したがって、粘着シートをスイッチ基板に貼り付けるまでの間、ハクリシートが接点板を含む粘着シートに対する保護部材として機能する。また、このハクリシートによって取扱いの利便性を確保できる。
【００３９】
また、本発明のスイッチ装置用部品は、上記スイッチ装置用部品において、上記粘着シートが、上記スイッチ装置に備えられる固定接点を含む接点部分を覆うカバーシートと、このカバーシートに接着されるスペーサシートとから成り、上記スペーサシートが、上記接点板が収容される収容部と、この収容部に連通して形成される上記非粘着部とを備えたことを特徴としている。
【００４０】
このように構成した本発明は、接点板がスペーサシートの収容部に収容されるので、接点板の押圧操作、及び押圧解除操作に際してカバーシートによって接点板の周縁が拘束されることがなく、良好な操作フィーリングの確保に貢献する。
【００４１】
また、本発明のスイッチ装置用部品は、上記スイッチ装置用部品において、上記粘着シートが、上記スイッチ装置が備えられる固定接点を含む接点部分を覆うカバーシートから成り、このカバーシートに上記非粘着部を設けたことを特徴としている。
【００４２】
このように構成した本発明は、カバーシートと、スイッチ基板とによって、接点板の円滑な操作を実現させる密閉構造を形成できるので、装置の薄型化を実現できる。
【発明の効果】
【００４３】
本発明のスイッチ装置は、スイッチ基板の一側端で折り返された粘着シートに、スイッチ基板の一側端で折り返され、このスイッチ基板の表面に対向する位置からスイッチ基板の裏面に対向する位置まで延設される非粘着部を設け、この非粘着部とスイッチ基板の表面及び裏面とによって、接点板に連通する空気逃げ部を形成したことから、接点部分に対する優れた防塵機能を確保できる。また特に、スイッチ基板の裏面を、空気逃げ部を形成する領域として活用できることから、粘着シートをスイッチ基板に接着した際に、この粘着シートとスイッチ基板を含む部分の幅寸法を、スイッチ基板の幅寸法と略同等に設定できる。これにより、装置の小型化を実現させることができる。
【００４４】
また、本発明のスイッチ装置は、粘着シートの、スイッチ基板の裏面に対向する位置に接点板から隔絶された非粘着部を設け、この非粘着部とスイッチ基板の裏面とによって、スイッチ基板に設けた空気孔を介して、接点板に連通する空気逃げ部を形成したことから、接点部分に対する優れた防塵機能を確保できる。また特に、スイッチ基板の裏面を、空気逃げ部を形成する領域として活用できることから、粘着シートをスイッチ基板に接着した際に、この粘着シートとスイッチ基板を含む部分の幅寸法を、スイッチ基板の幅寸法と略同等に設定できる。これにより、装置の小型化を実現させることができる。
【００４５】
また、スイッチ装置の製作に際して用いられる本発明のスイッチ装置用部品は、粘着シートに、接点板に連通し、スイッチ基板の一側端で折り返され、このスイッチ基板の表面に対向する位置からスイッチ基板の裏面に対向する位置まで延設される非粘着部を設けたことから、この粘着シートを、固定接点を備えたスイッチ基板に貼り付けた際に、この非粘着部とスイッチ基板の表面及び裏面とによって、接点板に連通する空気逃げ部を形成させることができ、スイッチ基板の固定接点が含まれる接点部分に対する優れた防塵機能の確保に貢献する。また特に、粘着シートが貼り付けられるスイッチ基板の裏面を、空気逃げ部を形成する領域として活用できることから、粘着シートをスイッチ基板に接着した際に、この粘着シートとスイッチ基板を含む部分の幅寸法を、スイッチ基板の幅寸法と略同等に設定できる。これにより、粘着シートを貼り付けて製作されるスイッチ装置の小型化の実現に貢献する。
【００４６】
また、スイッチ装置の製作に際して用いられる本発明のスイッチ装置用部品は、粘着シートの、スイッチ基板の裏面に対向する位置に接点板から隔絶された非粘着部を設けたことから、粘着シートを、非粘着部と接点板とを連通させるように形成される空気孔を有するスイッチ基板に貼り付けた際に、非粘着部とスイッチ基板の裏面とによって、スイッチ基板に設けた空気孔を介して、接点板に連通する空気逃げ部を形成させることができ、スイッチ基板の固定接点が含まれる接点部分に対する優れた防塵機能の確保に貢献する。また特に、粘着シートが貼り付けられるスイッチ基板の裏面を、空気逃げ部を形成する領域として活用できることから、粘着シートをスイッチ基板に接着した際に、この粘着シートとスイッチ基板を含む部分の幅寸法を、スイッチ基板の幅寸法と略同等に設定できる。これにより、粘着シートを貼り付けて製作されるスイッチ装置の小型化の実現に貢献する。
【発明を実施するための最良の形態】
【００４７】
以下，本発明に係るスイッチ装置及びスイッチ装置用部品を実施するための最良の形態を図に基づいて説明する。
【００４８】
［本発明に係るスイッチ装置の第１実施形態の構成］
図１は本発明に係るスイッチ装置の第１実施形態の構成を示す縦断面図、図２は図１に示すスイッチ装置の第１実施形態に備えられる粘着シートの裏面図、図３は図１に示すスイッチ装置の第１実施形態に備えられるスイッチ基板、すなわちフレキシブルプリント基板を示す平面図である。
【００４９】
本発明のスイッチ装置の第１実施形態は、図１に示すように、スイッチ基板、例えばフレキシブルプリント基板３０を備え、このフレキシブルプリント基板３０は、図３にも示すように、中央固定接点３１と、この中央固定接点３１の外側に配置される周辺固定接点３２とを備えている。また、中央固定接点３１には、外部への端子接続部３１ａが連設され、周辺固定接点３２にも、外部への端子接続部３２ａ，３２ｂが連設されている。
【００５０】
図１に示すように、フレキシブルプリント基板３０の中央固定接点３１、周辺固定接点３２の上方には、接点板、例えばドーム状可動接点３５を配置してある。このドーム状可動接点３５の周縁は、周辺固定接点３２に常時接触させるようにしてある。また、このドーム状可動接点３５の押圧によって、このドーム状可動接点３５が反転して中央固定接点３１に接触し、押圧力を解くことによって、ドーム状可動接点３５が中央固定接点３１から離れるようになっている。
【００５１】
ドーム状可動接点３５は、カバーシート３４の裏面に接着されている。また、このカバーシート３４の裏面には全面にわたって粘着剤が塗布されており、図２に展開して示したスペーサシート３３が接着されている。
【００５２】
図２にも示すように、スペーサシート３３は、上述したドーム状可動接点３５が収容される収容部３３ａと、この収容部３３ａに連通し、粘着剤が塗布されない非粘着部３３ｂとを備えている。このスペーサシート３３は、図１，３に示すフレキシブルプリント基板３０の一側端３０ｃにおいて折り返されるようにして、このフレキシブルプリント基板３０に接着されるが、上述した非粘着部３３ｂのフレキシブルプリント基板３０の一側端３０ｃに対向する部分３３ｂ１は、他の非粘着部３３ｂの部分よりも形状が小さくなるように形成してある。
【００５３】
このスペーサシート３３の、収容部３３ａ、及び形状の小さな部分３３ｂ１を含む非粘着部３３ｂは、例えば打ち抜き加工によって形成されており、このスペーサシート３３の、収容部３３ａ、及び形状の小さな部分３３ｂ１を含む非粘着部３３ｂを除く残りの裏面部分には、粘着剤が塗布されている。
【００５４】
このスイッチ装置の第１実施形態では、フレキシブルプリント基板３０の中央固定接点３１、周辺固定接点３２、及びドーム状可動接点３５を覆うカバーシート３４と、このカバーシート３４の裏面に接着されるスペーサシート３３とによって、ドーム状可動接点３５を有する粘着シートが構成されている。
【００５５】
この粘着シート、すなわちカバーシート３４及びスペーサシート３３の長さ寸法は、フレキシブルプリント基板３０の一側端３０ｃを介して、フレキシブルプリント基板３０の中央固定接点３１、周辺固定接点３２が配置される表面３０ａ側から裏面３０ｂ側にわたって折り返して、フレキシブルプリント基板３０の表面３０ａ及び裏面３０ｂに貼り付け可能な長さ寸法に設定してある。
【００５６】
フレキシブルプリント基板３０は、図３に示すように、端子接続部３１ａ，３２ａ，３２ｂが、カバーシート３４及びスペーサシート３３の折り返し部を形成する一側端３０ｃとは異なる方向から引き出されるように設けてある。
【００５７】
また特に、このスイッチ装置の第１実施形態は、フレキシブルプリント基板３０の表面３０ａ及び裏面３０ｂと、粘着シートを構成するスペーサシート３３の形状の小さな部分３３ｂ１を含む非粘着部３３ｂとによって、ドーム状可動接点３５に連通する空気逃げ部４０が形成されている。
【００５８】
［本発明のスイッチ装置用部品の第１実施形態の構成］
図４は図１に示すスイッチ装置の第１実施形態の製作に際し用いられるスイッチ装置用部品の第１実施形態を示す分解斜視図である。
【００５９】
この図４に示すように、本発明のスイッチ装置用部品の第１実施形態は、最上部に配置され、裏面の全面に粘着剤が塗布され、例えば矩形形状のカバーシート３４を備えている。また、このカバーシート３４の裏面に接着され、収容部３３ａと、この収容部３３ａに連通し、形状の小さな部分３３ｂ１を有し粘着剤が塗布されない非粘着部３３ｂとが、打ち抜き加工されたスペーサシート３３を備えている。このスペーサシート３３は、例えばカバーシート３４の外形と同じ形状寸法に設定してあり、裏面の、収容部３３ａ及び部分３３ｂ１を含む非粘着部３３ｂを除く残りの部分には粘着剤が塗布されている。
【００６０】
また、ドーム状可動接点３５を備え、このドーム状可動接点３５は、スペーサシート３３の収容部３３ａに収容された状態で、カバーシート３４の裏面に接着される。
【００６１】
上述したカバーシート３４とスペーサシート３３とによって、ドーム状可動接点３５が設けられる粘着シートが構成されている。この粘着シートは、図１，３に示すフレキシブルプリント基板３０の一側端３０ｃを介して、フレキシブルプリント基板３０の中央固定接点３１、周辺固定接点３２が配置される表面３０ａ側から裏面３０ｂ側にわたって折り返して、フレキシブルプリント基板３０の表面３０ａ及び裏面３０ｂに貼り付け可能な長さ寸法に設定してある。
【００６２】
上述したように、これらのカバーシート３４、スペーサシート３３、及びドーム状可動接点３５が、図１に示すスイッチ装置の第１実施形態の構成部品として用いられる。
【００６３】
さらに、本発明のスイッチ装置用部品の第１実施形態は、図４に示すように、スペーサシート３３の裏面３３ｂが接着され、カバーシート３４及びスペーサシート３３との間でドーム状可動接点を封止するハクリシート３６を備えている。
【００６４】
このスイッチ装置用部品の第１実施形態は、スペーサシート３３の収容部３３ａにドーム状可動接点３５が収容され、そのドーム状可動接点３５がカバーシート３４に貼り付けられた状態で、このカバーシート３４にスペーサシート３３が接着され、このスペーサシート３３にハクリシート３６が接着されることによって一体構造物として構成される。搬送時等にあっては、この一体構造物のまま搬送等が行なわれる。また、スイッチ装置の製作時には、ハクリシート３６が剥がされ、カバーシート３４及びスペーサシート３３から成る粘着シートが、フレキシブルプリント基板３０に接着される。
【００６５】
［本発明に係るスイッチ装置の第１実施形態の組み込み］
図５は図１に示すスイッチ装置の第１実施形態が製作される途中の状態を示す平面図である。
【００６６】
上述した本発明のスイッチ装置の第１実施形態の組み込みに際しては、上述したように、図４に示すスイッチ装置用部品の第１実施形態からハクリシート３６が剥がされ、ドーム状可動接点３５が接着されたカバーシート３４と、スペーサシート３３とから成る粘着シートが、図５に示すように、フレキシブルプリント基板３０に対して配置される。すなわち、カバーシート３４に接着されたドーム状可動接点３５が、フレキシブルプリント基板３０の中央固定接点３１の直上に位置し、また、周辺固定接点３２に接触するように配置される。さらに、折り返し部となるスペーサシート３３の部分３３ｂ１が、フレキシブルプリント基板３０の一側端３０ｃ上に位置するように配置する。この状態において、スペーサシート３３をフレキシブルプリント基板３０の表面３０ａに接着する。
【００６７】
そして、カバーシート３４及びスペーサシート３３を、フレキシブルプリント基板３０の裏面３０ｂ側に折り返し、スペーサシート３３をフレキシブルプリント基板３０の裏面３０ｂに接着する。このようにして、図１に示すスイッチ装置の第１実施形態が完成し、フレキシブルプリント基板３０の表面３０ａ及び裏面３０ｂと、粘着シートを構成するスペーサシート３３の形状の小さな部分３３ｂ１を含む非粘着部３３ｂとによって、ドーム状可動接点３５に連通する空気逃げ部４０が形成される。
【００６８】
［本発明に係るスイッチ装置の第１実施形態の動作］
図１に示すように構成されるスイッチ装置の第１実施形態にあっては、ドーム状可動接点３５が貼り付けられているカバーシート３４の部分を押圧すると、ドーム状可動接点３５がフレキシブルプリント基板３０の中央固定接点３１に接触する。これによって、中央固定接点３１と周辺固定接点３２とがドーム状可動接点３５を介して導通し、スイッチオンとなる。また、ドーム状可動接点３５に加えられていた押圧力を解除すると、ドーム状可動接点３５が中央固定接点３１から離れ、中央固定接点３１と周辺固定接点３２とは遮断され、スイッチオフとなる。
【００６９】
このようなドーム状可動接点３５の押圧操作、及び押圧解除操作の間、ドーム状可動接点３５の下方部分の空気は、フレキシブルプリント基板３０の表面３０ａ及び裏面３０ｂと、スペーサシート３３の形状の小さな部分３３ｂ１を含む非粘着部３３ｂとによって形成される空気逃げ部４０に流出入する。これにより、ドーム状可動接点３５の円滑な操作を実現できる。
【００７０】
［本発明に係るスイッチ装置の第１実施形態の効果］
このスイッチ装置の第１実施形態によれば、フレキシブルプリント基板３０の中央固定接点３１、周辺固定接点３２、及びドーム状可動接点３５から成る接点部分は、カバーシート３４によって覆われた密閉構造となるので、この接点部分に対する優れた防塵機能を確保できる。
【００７１】
また特に、粘着シートを構成するスペーサシート３３は、フレキシブルプリント基板３０の一側端３０ｃで折り返され、その表面３０ａから裏面３０ｂにわたって延設される非粘着部３３ｂを設けたことから、フレキシブルプリント基板３０の裏面３０ｂを空気逃げ部４０を形成する領域として活用できる。これにより、この第１実施形態のカバーシート３４及びスペーサシート３３から成る粘着シートが貼り付けられたフレキシブルプリント基板３０の部分の幅寸法、すなわちフレキシブルプリント基板３０の端子接続部３１ａ，３２ａ，３２ｂが延設される部分を除く部分の幅寸法を、フレキシブルプリント基板３０の幅寸法と略同等に設定、装置の小型化を実現させることができる。
【００７２】
また、スペーサシート３３の非粘着部３３ｂを、フレキシブルプリント基板３０の一側端３０ｃに対向する部分３３ｂ１が他の非粘着部３３ｂの部分よりも形状が小さくなるように形成したことから、フレキシブルプリント基板３０の一側端３０ｃにおけるスペーサシート３３の粘着剤塗布領域を大きく設定できる。これにより、カバーシート３４及びスペーサシート３３を、フレキシブルプリント基板３０の表面３０ａ側から裏面３０ｂ側に折り返した状態で、フレキシブルプリント基板３０の一側端３０ｃ部分に強固に接着でき、安定した構造を確保できる。
【００７３】
また、フレキシブルプリント基板３０を、その一側端３０ｃとは異なる方向から外部への端子接続部３１ａ，３２ａ，３２ｂが引き出されるように設けたことから、カバーシート３４及びスペーサシート３３をフレキシブルプリント基板３０の一側端３０ｃにおいて、その表面３０ａ側から裏面３０ｂ側に折り返す際に、端子接続部３１ａ，３２ａ，３２ｂが邪魔にならず、組み込み作業性を向上させることができる。
【００７４】
また、ドーム状可動接点３５がスペーサシート３３の収容部３３ａに収容されるので、ドーム状可動接点３５の押圧操作、及び押圧解除操作に際してカバーシート３４によってドーム状可動接点３５の周縁が拘束されることがなく、良好な操作フィーリングが得られる。
【００７５】
［本発明に係るスイッチ装置用部品の第１実施形態の効果］
上述したように、カバーシート３４及びスペーサシート３３をフレキシブルプリント基板３０の一側端３０ｃで折り返して、このフレキシブルプリント基板３０に貼り付けることにより、フレキシブルプリント基板３０の表面３０ａ及び裏面３０ｂと、スペーサシート３３の非粘着部３３ｂとによって、ドーム状可動接点３５に連通する空気逃げ部４０を形成することができる。このように、このスイッチ装置用部品の第１実施形態をフレキシブルプリント基板３０に貼り付けた際には、ドーム状可動接点３５の押圧操作及び押圧解除操作に伴って、ドーム状可動接点３５の下方の空気をフレキシブルプリント基板３０との間に形成される空気逃げ部４０に流出入させることができる。すなわち、フレキシブルプリント基板３０の中央固定接点３１、周辺固定接点３２、及びドーム状可動接点３５から成る接点部分は密閉状態となるので、この接点部分に対する防塵機能の確保に貢献する。
【００７６】
また特に、カバーシート３４及びスペーサシート３３が一側端３０ｃを介して貼り付けられるフレキシブルプリント基板３０の裏面３０ｂを、空気逃げ部４０の形成領域として活用できることから、カバーシート３４及びスペーサシート３３から成る粘着シートを、フレキシブルプリント基板３０に接着した際には、この粘着シートを接着した部分の幅寸法が、フレキシブルプリント基板３０の幅寸法と略同等となり、このスイッチ装置用部品の第１実施形態が備えられるフレキシブルプリント基板３０の小型化の実現に貢献する。
【００７７】
また、図４に示すように、カバーシート３４及びスペーサシート３３との間でドーム状可動接点を封止するハクリシート３６を備えたことから、カバーシート３４及びスペーサシート３３をフレキシブルプリント基板３０に貼り付けるまでの間は、ハクリシート３５がドーム状可動接点３５を含むカバーシート３４、及びスペーサシート３３に対する保護部材として機能する。また、このハクリシート３６によって取扱いの利便性を確保できる。
【００７８】
また、スペーサシート３４の非粘着部３４ｂのフレキシブルプリント基板３０の一側端３０ｃに対向する部分３３ｂ１を他の非粘着部３４ｂの部分よりも小さくなるように形成したことから、上述したように、フレキシブルプリント基板３０の一側端３０ｃに対向するスペーサシート３４の部分の粘着剤塗布領域を大きく設定でき、これによりカバーシート３４及びスペーサシート３３をフレキシブルプリント基板３０の一側端３０ｃ部分に強固に接着させることができ、安定した構造の確保に貢献する。
【００７９】
また、粘着シートをカバーシート３４とスペーサシート３３とから構成してあり、ドーム状可動接点３５はスペーサシート３３の収容部３３ａに収容されるので、上述したように、ドーム状可動接点の押圧操作、及び押圧解除操作に際してカバーシート３４によってドーム状可動接点３５の周縁が拘束されることがなく、良好な操作フィーリングの確保に貢献する。
【００８０】
［本発明に係るスイッチ装置用部品の第２実施形態］
図６は図１に示すスイッチ装置の第１実施形態の製作に際して用いられるスイッチ装置用部品の第２実施形態を示す分解斜視図である。
【００８１】
この図６に示すように、本発明のスイッチ装置用部品の第２実施形態は、上述したスイッチ装置用部品の第１実施形態では備えられていたスペーサシート３３を備えておらず、粘着シートがカバーシート３４のみから構成されている。このカバーシート３４に、ドーム状可動接点３５が貼り付けられる接着部３４ａと、この接着部３４ａの近傍の粘着剤が塗布されない周縁部３４ｂに連通する非粘着部３４ｃとを形成してある。このカバーシート３４の周縁部３４ｂと、形状の小さな部分３４ｃ１を含む非粘着部３４ｃを除く裏面部分には、粘着剤が塗布されている。
【００８２】
非粘着部３４ｃの形状の小さな部分３４ｃ１が、上述したフレキシブルプリント基板３０の一側端３０ｃで折り返される部分であり、この部分３４ｃ１に連設される形状の大きい部分が、カバーシート３４がフレキシブルプリント基板３０に貼り付けられた際に、フレキシブルプリント基板３０の裏面３０ｂに対向するように配置される。
【００８３】
また、上述のスイッチ装置用部品の第１実施形態におけるのと同様のハクリシート３６を備え、このハクリシート３６は、ドーム状可動接点３５が保持されたカバーシート３４の裏面に接着される。
【００８４】
このように構成されるスイッチ装置用部品の第２実施形態を、ハクリシート３６を剥がして、例えば図３に示すフレキシブルプリント基板３０に貼り付けた場合には、基本的には、図１に示すスイッチ装置の第１実施形態からスペーサシート３３を除いた形態となり、カバーシート１の非粘着部２３ｃがフレキシブルプリント基板３０の裏面３０ｂに対向するように位置する。また、この非粘着部３４ｃの形状の小さな部分３４ｃ１がフレキシブルプリント基板３０の一側端３０ｃにおける折り返し部を形成する。
【００８５】
したがって、フレキシブルプリント基板３０の表面３０ａ及び裏面３０ｂと、カバーシート３４の非粘着部３４ｃとによって空気逃げ部が形成され、ドーム状可動接点３５に対する押圧操作、及び押圧解除操作に伴って、ドーム状可動接点３５の下方の空気が上述の空気逃げ部に流出入し、上述したスイッチ装置の第１実施形態におけるのと同様の円滑なスイッチオン・オフ操作を実現できる。
【００８６】
このように構成したスイッチ装置用部品の第２実施形態を備えたスイッチ装置にあっても、カバーシート３４の非粘着部３４ｃがフレキシブルプリント基板３０の裏面３０ｂに対向するように位置するので、上述した図１に示すスイッチ装置の第１実施形態におけるのと同様に、粘着シートを構成するカバーシート３４とフレキシブルプリント基板３０とを含む部分の幅寸法を、フレキシブルプリント基板３０の幅寸法と略同等に設定でき、装置の小型化を実現させることができる。
【００８７】
また特に、カバーシート３４と、フレキシブルプリント基板３４とによって、ドーム状可動接点３５の円滑な操作を実現させる密閉構造を形成できるので、装置の薄型化を実現できる。
【００８８】
その他の作用効果については、図１に示したスイッチ装置の第１実施形態のスペーサシート３３に係る作用効果を除いて、このスイッチ装置の第１実施形態と略同等の作用効果が得られる。
【００８９】
［本発明に係るスイッチ装置の第２実施形態］
図７は本発明に係るスイッチ装置の第２実施形態の構成を示す縦断面図、図８は図７に示すスイッチ装置の第２実施形態に備えられる粘着シートの裏面図である。
【００９０】
このスイッチ装置の第２実施形態は、カバーシート３４と共に粘着シートを形成するスペーサシート３７の構成、及びスイッチ基板であるフレキシブルプリント基板３０の構成が、上述した図１に示すスイッチ装置の第１実施形態と異なっている。
【００９１】
すなわち、このスイッチ装置の第２実施形態におけるスペーサシート３７は、展開して示した図８にも示すように、フレキシブルプリント基板３０の裏面３０ｂに対向する位置に、ドーム状可動接点３５が収容される収容部３７ａから隔絶して形成され、粘着剤が塗布されない非粘着部３７ｂを設けてある。また、図７に示すように、フレキシブルプリント基板３０の中央部分に、スペーサシート３７の非粘着部３７ｂをドーム状可動接点３５の下方部分に連通させる空気孔３０ｅを設けてある。
【００９２】
このスイッチ装置の第２実施形態では、フレキシブルプリント基板３０の裏面３０ｂと、粘着シートを構成するスペーサシート３７の非粘着部３７ｂとによって、空気孔３０ｅを介してドーム状可動接点３５に連通する空気逃げ部４１が形成されている。その他の構成は、例えば上述した図１に示すスイッチ装置の第１実施形態と同等である。
【００９３】
このように構成したスイッチ装置の第２実施形態では、ドーム状可動接点３５に対する押圧操作、及び押圧解除操作に伴って、ドーム状可動接点３５の下方の空気が、フレキシブルプリント基板３０の空気孔３０ｅを介して空気逃げ部４１に流出入し、上述したスイッチ装置の第１実施形態におけるのと同様の円滑なスイッチオン・オフ操作を実現できる。
【００９４】
このスイッチ装置の第２実施形態にあっても、上述したスイッチ装置の第１実施形態におけるのと同様に、カバーシート３４によって接点部分が覆われ、密閉構造を形成するので、この接点部分に対する優れた防塵機能を確保できる。また、カバーシート３４及びスペーサシート３７をフレキシブルプリント基板３０の一側端３０ｃで折り返した際に、スペーサシート３７の非粘着部３７ｂがフレキシブルプリント基板３０の裏面３０ｂに対向するように位置するので、粘着シートを構成するカバーシート３４及びスペーサシート３３７とフレキシブルプリント基板３０を含む部分の幅寸法を、フレキシブルプリント基板３０の幅寸法と略同等の幅寸法に設定でき、装置の小型化を実現させることができる。
【００９５】
また特に、フレキシブルプリント基板３０の一側端３０ｃに対応するスペーサシート３７の部分の全領域を粘着剤形成領域とすることができるので、上述したスイッチ装置の第１実施形態におけるよりも強固に、カバーシート３４及びスペーサシート３７を、フレキシブルプリント基板３０の一側端３０ｃ部分に固定でき、さらに安定した構造を実現できる。
【００９６】
なお、このスイッチ装置の第２実施形態に用いられる粘着シート、すなわちカバーシート３４及びスペーサシート３７には、フレキシブルプリント基板３０に貼り付けられる以前にあっては、図４，６に示したと同様のハクリシートが接着される。すなわち、スペーサシート３７の裏面に塗布した粘着剤によって、ハクリシートがスペーサシート３７の裏面に接着されるようになっている。
【００９７】
また、このスイッチ装置の第２実施形態では、スペーサシート３７に、ドーム状可動接点３５が収容される収容部３７ａと、フレキシブルプリント基板３０の裏面３０ｂに対向するように配置される非粘着部３７ｂとを設けた構成にしてあるが、本発明は、このような構成に限られない。例えば、スペーサシート３７を除き、カバーシート３４のみによって粘着シートを構成し、このカバーシート３４に、ドーム状可動接点３５が接着される接着部と、この接着部に隔絶して形成されると共に、フレキシブルプリント基板３０の裏面３０ｂに対向するように配置され、粘着剤が塗布されない非粘着部を設けた構成にしてもよい。
【００９８】
このように構成したカバーシート３４を、図７に示す空気孔３０ｅを有するフレキシブルプリント基板３０に貼り付けてスイッチ装置を製作した場合には、フレキシブルプリント基板３０の裏面３０ｂと、カバーシートの上述した非粘着部とによって、フレキシブルプリント基板３０の空気孔３０ｅを介してカバーシート３４に接着されたドーム状可動接点３５に連通する空気逃げ部が形成される。このように構成したものも、上述したスイッチ装置の第２実施形態と略同等の作用効果を得ることができる。
【図面の簡単な説明】
【００９９】
【図１】本発明に係るスイッチ装置の第１実施形態の構成を示す縦断面図である。
【図２】図１に示すスイッチ装置の第１実施形態に備えられる粘着シートの裏面図である。
【図３】図１に示すスイッチ装置の第１実施形態に備えられるスイッチ基板、すなわちフレキシブルプリント基板を示す平面図である。
【図４】図１に示すスイッチ装置の第１実施形態の製作に際し用いられるスイッチ装置用部品の第１実施形態を示す分解斜視図である。
【図５】図１に示すスイッチ装置の第１実施形態が製作される途中の状態を示す平面図である。
【図６】図１に示すスイッチ装置の第１実施形態の製作に際して用いられるスイッチ装置用部品の第２実施形態を示す分解斜視図である。
【図７】本発明に係るスイッチ装置の第２実施形態の構成を示す縦断面図である。
【図８】図７に示すスイッチ装置の第２実施形態に備えられる粘着シートの裏面図である。
【図９】従来のスイッチ装置を示す分解斜視図である。
【図１０】従来技術の実状から考えられる粘着シートの構成を示す図である。
【符号の説明】
【０１００】
３０    フレキシブルプリント基板（スイッチ基板）
３０ａ  表面
３０ｂ  裏面
３０ｃ  一側端
３０ｅ  空気孔
３１    中央固定接点
３１ａ  端子接続部
３２    周辺固定接点
３２ａ  端子接続部
３２ｂ  端子接続部
３３    スペーサシート（粘着シート）
３３ａ  収容部
３３ｂ  非粘着部
３３ｂ１  部分
３４    カバーシート（粘着シート）
３４ａ  接着部
３４ｂ  周縁部
３４ｃ  非粘着部
３４ｃ１  部分
３５    ドーム状可動接点（接点板）
３６    ハクリシート
３７    スペーサシート（粘着シート）
３７ａ  収容部
３７ｂ  非粘着部
４０    空気逃げ部
４１    空気逃げ部
【図１】
2006139953.tif 000003
【図２】
2006139953.tif 000004
【図３】
2006139953.tif 000005
【図４】
2006139953.tif 000006
【図５】
2006139953.tif 000007
【図６】
2006139953.tif 000008
【図７】
2006139953.tif 000009
【図８】
2006139953.tif 000010
【図９】
2006139953.tif 000011
【図１０】
2006139953.tif 000012